(57)【特許請求の範囲】
【請求項１】
植栽用内部空間を備えた筒状の本体に、その周側部に配置されて植栽物の少なくとも一部を外部に露出させる第１開口部と、その第１開口部とは異なる位置に配置された植栽作業用の第２開口部とが設けられている植栽ルーバーを用いて建物の壁面を緑化する緑化構造であって、
前記建物の周方向においてルーバー設置領域の一部を緑化対象領域とし、その残部を非緑化対象領域とし、
前記緑化対象領域には、建物の周方向に延びる状態で上下方向に所定間隔を隔てて複数の前記植栽ルーバーを配設し、
前記非緑化対象領域には、上下方向での前記植栽ルーバーの配設位置と同じ位置に前記植栽ルーバーと一連に連続する状態で非植栽ルーバーを配設し、
前記非植栽ルーバーは、前記植栽ルーバーと建物外方側の形状が同形状に形成されている緑化構造。
【請求項２】
前記第１開口部は、前記本体の軸心方向に沿って延設され、
前記第２開口部は、前記第１開口部に連通する状態で前記本体の軸心方向の端部に設けられ、
前記第２開口部を閉塞する蓋体が設けられている前記植栽ルーバーを用いる請求項１記載の緑化構造。
【請求項３】
植栽用内部空間を備えた筒状の本体には、それの軸心方向に沿って周側部に配置されて植栽物の少なくとも一部を外部に露出させる第１開口部と、前記本体の軸心方向の端部において前記第１開口部に連通する植栽作業用の第２開口部とが設けられ、
前記第２開口部を閉塞する蓋体が設けられている植栽ルーバーであって、
前記本体は、前記植栽用内部空間を構成する左右の側壁部と底壁部とを備え、前記両側壁部の内面の各々には、前記蓋体をネジ止めするための突条部が軸芯方向に沿って突出形成され、前記底壁部の内面には、透水層が突出形成され、前記突条部と前記透水層とにより、前記本体の内面と前記植栽用内部空間内に配置される植栽物との間に空気層が形成可能に構成されている植栽ルーバー。
【発明の詳細な説明】
【技術分野】
【０００１】
本発明は、植栽ルーバーを用いて建物の壁面を緑化する緑化構造及び植栽ルーバーに関する。
【背景技術】
【０００２】
建物壁面の緑化構造に係る従来技術として、例えば、特許文献１においては、緑化対象の壁面に沿って鉛直姿勢で平行に固定された支柱間に、上下方向に所定間隔をおいて上方開口の複数の植栽ルーバーが傾斜姿勢で架設されている緑化構造が開示されている。
【０００３】
この緑化構造に用いられる植栽ルーバーは、平面視長方形状の偏平な上方開口の容器状の本体を有する。この容器状本体の側壁部には、上端から内方側に水平に延出される返しフランジ部が一体形成され、この返しフランジ部の内周縁により、植栽物の植物の一例であるコケを外部に露出させる開口部が形成されている。
【０００４】
また、容器状本体内には、植栽物の栽培床材となる密集状の繊維からなる基板マットが装着されているとともに、左右の支柱の内部空間が、容器状本体の内部に対する給排水用の通路に構成され、容器状本体の内部に供給された液肥により基板マットに植え付けられたコケを育成するように構成されている。
【先行技術文献】
【特許文献】
【０００５】
【特許文献１】特許第４６２５１６２号公報
【発明の概要】
【発明が解決しようとする課題】
【０００６】
従来の緑化構造では、建物壁面の周方向におけるルーバー設置領域の一部を緑化対象領域とする場合、緑化対象領域に設置される植栽ルーバーの形態と非緑化対象領域に設置される非植栽ルーバーの形態とが大きく異なるため、その不均一なルーバー形態によって建物の意匠性に悪影響を及ぼす虞がある。
【０００７】
その上、緑化構造に用いられる従来の植栽ルーバーでは、容器状本体の開口部から装着された植栽物の基板マットが強風で飛ばされないように、容器状本体の返しフランジ部の突出代を大きくすると、これに伴って幅狭になった容器状本体の開口部に対して植栽物の基板マットを大きく圧縮した状態で通過装着しなければならないため、植栽作業に多くの手間を要するとともに、基板マットに植え付けられている植物を損傷する可能性がある。
【０００８】
また、基板マット及びこれに植え付けられている植物を含む植栽物を他種の植栽物に植え替える場合では、容器状本体の唯一の開口部から出し入れを行う必要があるが、この開口部は植物の成長に伴って狭くなっているため、植栽物の植え替え作業においても多くの手間を要している。
【０００９】
さらに、植栽物の基板マットに変えて土壌を使用した場合には、容器状本体の返しフランジ部の突出代を大きくしても、土壌自体の保形力及び植物の保持力が弱いため、強風時に土壌が飛ばされたり、植物が抜け出す虞がある。
【００１０】
上述の実情に鑑み、本発明の主たる課題は、上述の不都合を解消することのできる緑化構造及び植栽ルーバーを提供する点にある。
【課題を解決するための手段】
【００１１】
植栽用内部空間を備えた筒状の本体を有する植栽ルーバーであって、
前記本体には、その周側部に配置されて植栽の少なくとも一部を外部に露出させる第１開口部と、その第１開口部とは異なる位置に配置された植栽作業用の第２開口部とが設けられている。
【００１２】
上記構成によれば、建物等の緑化に用いられる植栽ルーバーには、茎葉部や葉状部等の植物の一部を外部に露出させるための第１開口部とは別に、植栽作業用の第２開口部が設けられているので、第１開口部とは異なる位置にある第２開口部を使用して、植栽ルーバーへの植栽物の組み付けや他種の植栽物への植え替え等の植栽作業を容易に行うことができる。
【００１３】
植栽ルーバーにおいて、前記第１開口部は、前記本体の軸心方向に沿って延設され、前記第２開口部は、前記第１開口部に連通する状態で前記本体の軸心方向の端部に設けられ、前記第２開口部を閉塞する蓋体が設けられている。
【００１４】
上記構成によれば、本体の軸心方向に沿って開口形成された第１開口部と、本体の軸心方向の端部において開口形成された第２開口部とが連通するので、別の箇所で育成された植栽物を植栽ルーバーに組み付ける場合でも、植栽物における茎葉部や葉状部等の露出部分は第１開口部に沿ってスムーズに挿入することができると同時に、土壌等の植栽物の非露出部分は本体端部の第２開口部からスムーズに挿入することができる。
したがって、植栽物の露出部位の損傷を抑制しながら、植栽ルーバーに対して植栽物を能率良く容易に組み付けることができる。
【００１５】
植栽ルーバーに対する植栽物の組み付け方法であって、
植物と土壌とを一体化した植栽ユニットを、前記第２開口部を通して前記本体の内部にスライド移動させて、前記本体に植物と土壌との植栽物を組み付ける。
【００１６】
上記構成によれば、植栽物を、植物と土壌とを一体化した植栽ユニットとすることにより、植栽ルーバー以外の別の箇所において、植栽ユニットの植物をそれの根が十分張って一体化が進んだ状態にまで育成することができる。その状態であっても、第２開口部及び第１開口部を通して本体の内部にスライド移動させながら能率良く容易に組み付けることができるとともに、植栽ルーバーの施工当初においても、強風時における土壌の飛散や植物の抜け出しを抑制することができる。
【００１７】
しかも、植栽ルーバーに対しては、緑化工事時において、根が十分張って一体化が進んだ状態にまで育成された植栽ユニットを組み付けることが可能であるから、例えば、植栽ルーバーを植栽物の育成当初から栽培容器として使用する場合のような外観の汚れが少なく、植栽ルーバーの外観の清掃作業の簡素化を図ることができる。
【００１８】
本発明による第１特徴構成は、植栽用内部空間を備えた筒状の本体に、その周側部に配置されて植栽物の少なくとも一部を外部に露出させる第１開口部と、その第１開口部とは異なる位置に配置された植栽作業用の第２開口部とが設けられている植栽ルーバーを用いて建物の壁面を緑化する緑化構造であって、
前記建物の周方向においてルーバー設置領域の一部を緑化対象領域とし、その残部を非緑化対象領域とし、
前記緑化対象領域には、建物の周方向に延びる状態で上下方向に所定間隔を隔てて複数の前記植栽ルーバーを配設し、
前記非緑化対象領域には、上下方向での前記植栽ルーバーの配設位置と同じ位置に前記植栽ルーバーと一連に連続する状態で非植栽ルーバーを配設し、
前記非植栽ルーバーは、前記植栽ルーバーと建物外方側の形状が同形状に形成されている点にある。
【００１９】
上記構成によれば、植栽ルーバーを用いて建物の壁面を緑化する際、建物の周方向におけるルーバー設置領域が緑化対象領域と非緑化対象領域とに分かれる場合であっても、非緑化対象領域に配設される非植栽ルーバーが、緑化対象領域に配設される植栽ルーバーの配設位置と同じ位置で一連に連続し、且つ、非植栽ルーバーと植栽ルーバーとの建物外方側の形状が同形状に形成されているため、ルーバー設置領域全域においてルーバー形態の均一な外観を得ることができ、意匠性の高い壁面緑化を行うことができる。
また、本発明の第２特徴構成は、上述の第１特徴構成を有する緑化構造において、
前記第１開口部は、前記本体の軸心方向に沿って延設され、
前記第２開口部は、前記第１開口部に連通する状態で前記本体の軸心方向の端部に設けられ、
前記第２開口部を閉塞する蓋体が設けられている前記植栽ルーバーを用いる点にある。
本発明の第３特徴構成は、植栽用内部空間を備えた筒状の本体には、それの軸心方向に沿って周側部に配置されて植栽物の少なくとも一部を外部に露出させる第１開口部と、前記本体の軸心方向の端部において前記第１開口部に連通する植栽作業用の第２開口部とが設けられ、
前記第２開口部を閉塞する蓋体が設けられている植栽ルーバーであって、
前記本体は、前記植栽用内部空間を構成する左右の側壁部と底壁部とを備え、前記両側壁部の内面の各々には、前記蓋体をネジ止めするための突条部が軸芯方向に沿って突出形成され、前記底壁部の内面には、透水層が突出形成され、前記突条部と前記透水層とにより、前記本体の内面と前記植栽用内部空間内に配置される植栽物との間に空気層が形成可能に構成されている点にある。
【図面の簡単な説明】
【００２０】
【図１】本発明の建物のルーバー設置領域を示す平面図
【図２】植栽ルーバー及び非植栽ルーバーの取付け状態を示す要部の斜視図
【図３】植栽ルーバーの取付け構造を示す一部分解斜視図
【図４】植栽ルーバーの取付け構造を示す縦断側面図
【図５】植栽ルーバーの取付け構造を示す縦断正面図
【図６】植栽ルーバーの取付け構造を示す水平断面図
【図７】植栽ルーバーの排水構造を示す分解断面図
【図８】非植栽ルーバーの取付け構造を示す縦断側面図
【図９】植栽ユニットの製作及び植栽物の組み付け方法を示す前半の植栽工程図
【図１０】植栽ユニットの製作及び植栽物の組み付け方法を示す後半の植栽工程図
【発明を実施するための形態】
【００２１】
〔第１実施形態〕
図１は、ビル等の建物Ｂの壁面を緑化する緑化構造の一例を示す。この実施形態では、建物Ｂの全周に亘るルーバー設置領域のうち、周方向の一部を緑化対象領域Ａ１とし、そ他の残部を非緑化対象領域Ａ２としている。
【００２２】
建物Ｂの緑化対象領域Ａ１においては、図２、図１０に示すように、上方に開口する植栽用内部空間１を備えたアルミニウム製の筒状の複数本の植栽ルーバー２が用いられている。この複数本の植栽ルーバー２は、建物Ｂの周方向に沿って水平に延びる状態で上下方向に所定間隔を隔てて配設されている。
建物Ｂの非緑化対象領域Ａ２においては、図２、図８に示すように、内部空間が閉止されたアルミニウム製の筒状の複数本の非植栽ルーバー３が用いられている。この複数本の非植栽ルーバー３は、植栽ルーバー２の上下方向での配設間隔の１/２の配設間隔で上下方向に配設されている。
そのうち、上下方向で１本おきに位置する非植栽ルーバー３と植栽ルーバー２とが同じ高さ位置において水平方向に連続する状態で配設されている。
【００２３】
植栽ルーバー２は、図３〜図６に示すように、二つの等しい長さの平行線と二つの半円形線からなる横断面形状が長円形状の横長筒体に形成されたルーバー本体２Ａと、このルーバー本体２Ａの筒軸心Ｘ方向両端部の第２開口部１ｂを止水状態で閉止する脱着可能な蓋体２Ｂとから構成されている。
また、植栽ルーバー２のルーバー本体２Ａにおける下方側の平行線形成部位が底壁部２ａに、且つ、上方側の平行線形成部位が植栽用内部空間１の第１開口部１ａに構成されている。そのため、ルーバー本体２Ａの全長Ｌ２に亘る植栽用内部空間１の第１開口部１ａとルーバー本体２Ａの筒軸心Ｘ方向両端部の第２開口部１ｂとが連通する。
【００２４】
さらに、図４、図５、図７に示すように、植栽ルーバー２のルーバー本体２Ａにおける半円形線形成部位である長軸方向両側の両半円筒壁部（側壁部）２ｂの内側面で、且つ、ルーバー本体２Ａの高さ方向の中央位置に相当する部位には、蓋体２Ｂを取付けるビス４の捻じ込みに伴って雌ネジが形成される横断面形状が「Ｃ」の字状の突条部２ｃが筒軸心Ｘ方向に沿って一体形成されている。
【００２５】
非植栽ルーバー３は、図２、図８に示すように、横断面形状が真円形状の円筒体に形成され、且つ、植栽ルーバー２と同じ長さに形成されたルーバー本体３Ａと、このルーバー本体３Ａの筒軸心Ｘ方向両端部の開口部を閉止する脱着可能な蓋体３Ｂとから構成されている。
【００２６】
さらに、非植栽ルーバー３のルーバー本体３Ａにおける内側面で、且つ、鉛直方向の中心線Ｙと交差する部位には、蓋体３Ｂを取付けるビス（図示せず）の捻じ込みに伴って雌ネジが形成される横断面形状が「Ｃ」の字状の突条部３ａが筒軸心Ｘ方向に沿って一体形成されている。
【００２７】
そして、植栽ルーバー２と非植栽ルーバー３は、図４に示すように、少なくとも建物外方側の形状が同形状（同一形状から類似する形状までを含む）に形成されている。
当該実施形態においては、植栽ルーバー２と非植栽ルーバー３は、建物外方側の外面形状と建物内方側（建物Ｂの外壁５に対面する側）の外面形状とが同一又は略同一形状に構成されている。
詳しくは、植栽ルーバー２のルーバー本体２Ａの高さＨと非植栽ルーバー３のルーバー本体３Ａの外径（高さ）Ｄとが同一に構成され、植栽ルーバー２のルーバー本体２Ａにおける半円形線形成部位である長軸方向両側の両半円筒壁部２ｂと、非植栽ルーバー３のルーバー本体３Ａにおける鉛直方向の中心線Ｙを対称軸とする左半側又は右半側の半円筒壁部３ｂとが同一曲率の半円形状に構成されている。
【００２８】
また、植栽ルーバー２のルーバー本体２Ａにおける横幅Ｗが高さＨよりも大なる寸法に構成されているため、植栽ルーバー２と非植栽ルーバー３とを水平方向で一連に連続配設するにあっては、図２、図４に示すように、植栽ルーバー２のルーバー本体２Ａにおける建物外方側の半円筒壁部２ｂの最外方側位置と、非植栽ルーバー３のルーバー本体３Ａにおける建物外方側の半円筒壁部３ｂの最外方側位置とが水平方向で一直線状又は略一直線状に連続する状態で配置してある。
【００２９】
そして、上述の構成により、建物Ｂの周方向におけるルーバー設置領域が緑化対象領域Ａ１と非緑化対象領域Ａ２とに分かれる場合であっても、非緑化対象領域Ａ２に配設される非植栽ルーバー３が、緑化対象領域Ａ１に配設される植栽ルーバー２の配設位置と同じ位置で一連に連続し、且つ、非植栽ルーバー３と植栽ルーバー２との少なくとも建物外方側の形状が同形状に形成されているため、ルーバー設置領域全域においてルーバー形態の均一な外観を得ることができ、意匠性の高い壁面緑化を行うことができる。
【００３０】
さらに、図１に示すように、建物Ｂのルーバー設置領域のうち、緑化対象領域Ａ１と非緑化対象領域Ａ２との境界が建物Ｂの角部に位置する箇所（図１における建物Ｂの右上の角部に対応するルーバー交差箇所）においては、植栽ルーバー２のルーバー本体２Ａの端部と非植栽ルーバー３のルーバー本体３Ａの端部の各々が、それらの交差角度に対応する突合せ傾斜角度（当該実施形態では４５度の突合せ傾斜角度）でカットされ、植栽ルーバー２のルーバー本体２Ａの端部と非植栽ルーバー３のルーバー本体３Ａの端部とが突合せ状態で配置されている。
【００３１】
この突合せ配置状態では、植栽ルーバー２のルーバー本体２Ａの端部における建物外方側の外面と非植栽ルーバー３のルーバー本体３Ａの端部における建物外方側の外面とが、平面視において段差の無い又は少ない状態で交差方向（当該実施形態では直角方向）に沿って連続する。しかも、上述のように植栽ルーバー２と非植栽ルーバー３との少なくとも建物外方側の形状が同形状に形成されているため、植栽ルーバー２と非植栽ルーバー３との交差箇所においてもルーバー形態の均一な外観を得ることができ、意匠性の高い壁面緑化を行うことができる。
【００３２】
また、建物Ｂの周方向で隣接する両緑化対象領域Ａ１の境界が建物Ｂの角部に位置する箇所（図１における建物Ｂの右下の角部に対応するルーバー交差箇所）においても、隣接する両植栽ルーバー２のルーバー本体２Ａの端部の各々が、それらの交差角度に対応する突合せ傾斜角度（当該実施形態では４５度の突合せ傾斜角度）でカットされ、隣接する両植栽ルーバー２のルーバー本体２Ａの端部同士が突合せ状態で配置されている。
【００３３】
この突合せ配置状態においても、隣接する両植栽ルーバー２のルーバー本体２Ａの端部における建物外方側の外面が、平面視において段差の無い又は少ない状態で交差方向（当該実施形態では直角方向）に沿って連続する。しかも、上述のように隣接する両植栽ルーバー２の建物外方側の形状が同一形状であるため、隣接する両植栽ルーバー２の交差箇所においてもルーバー形態の均一な外観を得ることができ、意匠性の高い壁面緑化を行うことができる。
【００３４】
尚、図２、図４に示す植栽ルーバー２のルーバー本体２Ａと非植栽ルーバー３のルーバー本体３Ａとを、植栽ルーバー２の筒軸心Ｘと非植栽ルーバー３の筒軸心Ｘ１とが水平方向で一直線状又は略一直線状に連続する状態で配置すると、両ルーバー本体２Ａ，３Ａの隣接端部において段差が生じるが、この場合でも、非植栽ルーバー３と植栽ルーバー２との建物外方側の形状が同形状に形成され、且つ、高さも統一構成されているため、ルーバー設置領域全域においてルーバー形態の略均一な外観を確保することができる。
【００３５】
また、植栽ルーバー２のルーバー本体２Ａにおける両半円筒壁部２ｂの上半部分は、上方ほどルーバー本体２Ａの横幅方向中央位置側に近づく湾曲面に形成されているため、この両半円筒壁部２ｂの上半部分をもって、ルーバー本体２Ａの植栽用内部空間１内に配置された植栽物Ｐがルーバー本体２Ａの第１開口部１ａから抜け出すことを阻止する返し部に兼用構成されている。
【００３６】
次に、植栽ルーバー２の取付け構造について説明する。
図３〜図６に示すように、建物Ｂの外壁５における水平方向及び上下方向に所定間隔を隔てた複数のルーバー取付け箇所には金属製のブラケット１０が配設されている。
ブラケット１０としては種々の形態が存在する。その一例を挙げると、図３、図４、図６に示すブラケット１０では、建物躯体側に溶接やアンカーボルト等で固定されるベースプレート１０Ａと、当該ベースプレート１０Ａから建物外方側に鉛直方向に沿う姿勢で垂直に突設される取付けプレート１０Ｂ、及び、両プレート１０Ａ、１０Ｂに固着される水平方向に沿う補強リブ１０Ｃとが備えられている。
【００３７】
水平方向で隣接する両ブラケット１０の取付けプレート１０Ｂの中心間距離Ｌ１は、図６に示すように、植栽ルーバー２の全長Ｌ２よりも若干大なる寸法に設定され、水平方向で隣接する両植栽ルーバー２の端部間に、後述する植栽ルーバー２用のルーバー受け部材１７を取付けるためのスペースを確保する空隙Ｓが形成されている。
【００３８】
ブラケット１０のうち、上下方向に配置される各列の複数のブラケット１０の取付けプレート１０Ｂに亘って、左右一対のアングル鋼製の支持部材１１における一方の辺部１１Ａがボルト１２・ナット１３で共締め固定されている。
水平方向で隣接する両ブラケット１０の取付けプレート１０Ｂ間において対をなす両支持部材１１の他方の辺部１１Ｂの外側面には、植栽ルーバー２のルーバー本体２Ａにおける建物内方側の半円筒壁部２ｂの筒軸心Ｘ方向両端側部位がボルト１４・ナット１５で締め付け固定されている。
【００３９】
この植栽ルーバー２のルーバー本体２Ａをボルト１４・ナット１５で取付けるにあたっては、図４、図７に示すように、ルーバー本体２Ａの半円筒壁部２ｂの内面に突出形成されている突条部２ｃを跨ぐ門の字状のボルト受け部材１６が設けられている。
【００４０】
両支持部材１１の他方の辺部１１Ｂには、図３〜図６に示すように、植栽ルーバー２のルーバー本体２Ａにおける底壁部２ａの下面（外側面）を載置支持する載置板部１７Ａ、及び、当該載置板部１７Ａから両植栽ルーバー２の端部間の空隙Ｓを通して支持部材１１に延設される腕部１７Ｂとを備えたルーバー受け部材１７が溶接等で固着されている。
【００４１】
図３、図５、図７に示すように、植栽ルーバー２のルーバー本体２Ａにおける底壁部２ａの筒軸心Ｘ方向両端側部位には排水取付け孔２ｄが貫通形成され、各排水取付け孔２ｄには、底壁部２ａの上面（内側面）における排水取付け孔２ｄの開口周縁に当接する鍔部１８ａを備えた上側ニップル１８と、底壁部２ａの下面における排水取付け孔２ｄの開口周縁に下方側から当接するナット１９ａを備えた下側ニップル１９とが止水状態で螺合装着されている。
【００４２】
また、下側ニップル１９の雄ネジ部１９ｂには、上側の植栽ルーバー２の植栽用内部空間１内の水を下側の植栽ルーバー２の植栽用内部空間１内に流下案内する排水パイプ２０、又は、最終排水順位に設定された植栽ルーバー２の植栽用内部空間１内の水を後述の縦樋２６に排出案内する外部排水パイプ２１が螺合接続されている。
【００４３】
さらに、図３〜図７に示すように、排水パイプ２０の下端部が貫通する振れ止め孔２２ａを備えたパイプ受け部材２２が、支持部材１１の他方の辺部１１Ｂにボルト２３・ナット２４で締め付け固定されている。
【００４４】
ルーバー受け部材１７の載置板部１７Ａには、図７に示すように、下側ニップル１９のナット１９ａが回転操作可能な状態で入り込むバカ孔１７ａが形成されている。
【００４５】
支持部材１１の他方の辺部１１Ｂは、建物Ｂの外壁５と植栽ルーバー２との間の空間に配置される縦樋２６の取付け部に構成されている。具体的には、縦樋２６を支持する縦樋ブラケット２７が、支持部材１１の他方の辺部１１Ｂに対してパイプ受け部材２２とボルト２３・ナット２４で共締め固定されている。
【００４６】
当該実施形態では、上下方向に配設される多数の植栽ルーバー２を、複数のグループに分け、そのグループ内の最上部に位置する植栽ルーバー２内の水（潅水パイプから植栽物Ｐに供給された水や雨水）を順次下方の植栽ルーバー２に流下案内し、グループ内の最終排水順位である最下部の植栽ルーバー２内の水を縦樋２６に排出する。
【００４７】
尚、非植栽ルーバー３の取付け構造は、図８に示すように、植栽ルーバー２の取付け構造で説明したブラケット１０及び支持部材１１が用いられ、この支持部材１１に、非植栽ルーバー３のルーバー本体３Ａにおける左右一側の半円筒壁部３ｂがボルト２８・ナット２９で締め付け固定されている。
【００４８】
次に、植栽ルーバー２に植栽される植栽物Ｐ及び植栽ルーバー２に対する植栽物Ｐの組み付け方法について説明する。
植栽物Ｐは、図９に示すように、植物３０と栽培床材の一例である土壌３１とを一体化した植栽ユニットＰＵから構成されている。
つまり、この植栽ユニットＰＵは、先ず、図９（ａ）に示すように、透水性、通気性及び可撓性と適度の強度を備えた不織布（例えば、防草シート）等の栽培シート３２を、植栽ルーバー２のルーバー本体２Ａにおける内面の横断面形状よりも少し小さな横断面形状の筒状に巻回し、この巻回された筒状の栽培シート３２の長手方向の複数個所を型崩れしないように紐３３で縛る。
紐３３で結束された筒状の栽培シート３２の筒軸心方向一端側の開口部は、例えば、植物３０の苗木栽培用のビニール製（軟質のポリ塩化ビニル製）カップ材３６を利用して閉塞する。
尚、栽培シート３２の全長は、ボルト１４・ナット１５によるルーバー本体２Ａの取付け間隔よりも小なる長さに構成されている。
【００４９】
次に、図９（ｂ）に示すように、紐３３で結束された筒状の栽培シート３２を、閉塞処理されている筒軸心方向一端側の開口部が下方となる縦姿勢に保持し、上方に開口する筒軸心方向他端側の開口部から土壌３１を充填する。
土壌３１としては肥料を含んだ軽量な培養土が好ましい。
土壌３１の充填が終了すると、筒状の栽培シート３２の筒軸心方向他端側の開口部を、植物３０の苗木栽培用のビニール製カップ材３６を利用して閉塞する。
尚、当該実施形態では、筒状の栽培シート３２の筒軸心方向両端側の開口部を苗木栽培用のビニール製カップ材３６を利用して閉塞したが、栽培シート３２と同じ材料や他の材料で閉塞してもよい。
【００５０】
その後、図９（ｃ）に示すように、横向き姿勢で載置されている筒状の栽培シート３２の上面にカッター等で十字形に切れ目３２ａを入れ、この切れ目３２ａからビニール製カップ材で栽培されていた若い草木等の植物３０を移植する。
この状態で植物３０を所定期間育成すると、若い草木等の植物３０の生育に伴う根張りによって植物３０と土壌３１と栽培シート３２とが一体化した植栽ユニットＰＵを製作することができる。
【００５１】
上述のように、植栽物Ｐを、植物３０と土壌３１と栽培シート３２とが一体化した植栽ユニットＰＵから構成することにより、強風時における土壌３１の飛散や植物３０の抜けを防止することができる。
【００５２】
次に、栽培地での育成期間が終了して植栽ユニットＰＵが製作されると、図１０（ｄ）に示すように、植栽ルーバー２のルーバー本体２Ａにおける筒軸心Ｘ方向両端部に形成されている植栽作業用の第２開口部１ｂの一方から植栽ユニットＰＵを筒軸心Ｘ方向に沿って挿入する。
このとき、植栽ユニットＰＵにおける茎葉部や葉状部等の成長した露出部位は、第２開口部１ｂに連通する第１開口部１ａに沿って移動する。
植栽ユニットＰＵの組み付けを終了すると、ルーバー本体２Ａの一方の第２開口部１ｂを蓋体２Ｂで水密に閉止する。
【００５３】
植栽ユニットＰＵが植栽ルーバー２内の所定位置に組み付けられた状態では、図１０（ｅ）に示すように、植栽ユニットＰＵの底面とルーバー本体２Ａの底壁部２ａとの間に、水の滞留を防止するための透水層（排水層）３４が形成され、排水パイプ２０又は外部排水パイプ２１への排水流路が確保されている。
また、植栽ユニットＰＵの側面とルーバー本体２Ａの内面との間には、植栽用内部空間１側に突出する左右の突条部２ｃ及び透水層３４によって空気層３５が形成されている。
【００５４】
そのため、植栽ユニットＰＵ内の底部に水が溜まることに起因する植物３０の根腐れ、或いは、夏期に於ける土壌３１の高温化による植物３０の枯死を抑制することができる。
【００５５】
〔その他の実施形態〕
（１）上述の第１実施形態では、植栽ルーバー２の横断面形状を長円形状に形成したが、非植栽ルーバー３と同様に、横断面形状を真円形状に形成してもよい。
また、ルーバーのデザインによっては、植栽ルーバー２の横断面形状及び非植栽ルーバー３の横断面形状を矩形（長方形、正方形）、台形、多角形（五角形以上）等に構成してもよい。
さらに、植栽ルーバー２のサイズは、植栽種や生育サイズ等の植栽条件に応じて適宜変更することができる。
【００５６】
（２）上述の第１実施形態では、植栽ルーバー２のルーバー本体２Ａにおける建物内外方向での両壁部２ｂと非植栽ルーバー３のルーバー本体３Ａにおける建物内外方向での両壁部３ｂとを同一又は類似する形状に形成したが、建物外方側の壁部２ｂ、３ｂのみを同一又は類似する形状に形成し、建物内方側の壁部２ｂ、３ｂを互いに異なる形状に形成してもよい。
【００５７】
（３）上述の第１実施形態では、建物Ｂの全周に亘るルーバー設置領域のうち、周方向の一部を緑化対象領域Ａ１とし、それ以外の残部を非緑化対象領域Ａ２とする形態について説明したが、建物Ｂの全周に亘るルーバー設置領域の全てを緑化対象領域Ａ１としてもよい。
また、緑化対象領域Ａ１の建物Ｂの壁面が緩い曲面に構成されている場合でも、植栽ルーバー２の長さを短くすることで対応することができる。
勿論、植栽ルーバー２を建物Ｂの壁面の曲面に沿って湾曲形成してもよい。
【００５８】
（４）上述の第１実施形態では、植栽ルーバー２を水平方向に沿って一直線状に配設したが、植栽ルーバー２の平面的な出入り（建物内外方向）は、植栽種類毎の育成や外観に変化を与えるので、植栽ルーバー２をルーバー設置領域の一部又は全部において千鳥配置等の平面的な出入り配置に構成してもよい。
【００５９】
（５）上述の第１実施形態では、植栽ルーバー２のルーバー本体２Ａにおける軸心方向両端部に、上方開口の第１開口部１ａと連通する第２開口部１ｂを形成したが、この第２開口部１ｂをルーバー本体２Ａの一端部にだけ形成してもよい。
さらに、第２開口部１ｂをルーバー本体２Ａの端部以外の部位に形成してもよい。例えば、第１開口部１ａの長手方向中間の一部を、植栽物Ｐの出し入れが可能な幅広に切欠き形成して、この切欠き形成によって増加した開口部分を第２開口部１ｂに構成してもよい。
【００６０】
（６）植栽ルーバー２のルーバー本体２Ａにおける第１開口部１ａの開口縁に、土壌３１の飛散を抑制するための返し部や鍔部を形成してもよい。この返し部や鍔部は、第１開口部１ａの開口縁における建物内外方向の両側又は一側に形成する。
【００６１】
（７）本発明の植栽ルーバー２は、ビルや家屋等の建物Ｂの壁面の緑化以外に、橋梁や道路等の建築物の壁面の緑化に用いることができ、さらに、壁面以外の屋上やバルコニー等の緑化にも用いることができる。
【００６２】
（８）上述の第１実施形態では、植栽ルーバー２及び非植栽ルーバー３をアルミニウムから製作したが、植栽ルーバー２及び非植栽ルーバー３の材質としてはステンレス、鉄、塩化ビニル、繊維強化プラスチック（ＦＲＰ）等を挙げることができる。
【符号の説明】
【００６３】
Ａ１    緑化対象領
Ａ２    非緑化対象領域
Ｐ      植栽物
ＰＵ    植栽ユニット
Ｘ      本体の軸心（筒軸心）
１      植栽用内部空間
１ａ    第１開口部
１ｂ    第２開口部
２      植栽ルーバー
２Ａ    本体（ルーバー本体）
３      非植栽ルーバー
３０    植物
３１    土壌
【図１】
0006473624.tif 000002
【図２】
0006473624.tif 000003
【図３】
0006473624.tif 000004
【図４】
0006473624.tif 000005
【図５】
0006473624.tif 000006
【図６】
0006473624.tif 000007
【図７】
0006473624.tif 000008
【図８】
0006473624.tif 000009
【図９】
0006473624.tif 000010
【図１０】
0006473624.tif 000011